(57)【要約】【課題】排出業者および受入業者の業務効率の向上を図ることができ、廃棄物のリサイクルを促進することが可能なリサイクル促進方法，リサイクル促進サーバおよびリサイクル促進プログラムを提供することを目的とする。【解決手段】コンピュータ１０を用いて、廃棄物のリサイクルを促進するリサイクル促進方法であって、排出場所から排出される１つ以上の廃棄物の情報および排出予定情報を取得する取得段階と、廃棄物の情報および排出予定情報に基づき回収予定情報を作成する作成段階と、廃棄物を排出場所から受入業者に運搬する１つ以上の回収業者に回収予定情報を提示し、１つ以上の回収業者による競りの結果に応じて回収業者を選択する選択段階とを有することにより上記課題を解決する。【選択図】　　　　　図１
2004145825.tif 000002
【特許請求の範囲】
【請求項１】
コンピュータを用いて、廃棄物のリサイクルを促進するリサイクル促進方法であって、
前記コンピュータが、排出場所から排出される１つ以上の廃棄物の情報および排出予定情報を取得する取得段階と、
前記コンピュータが、前記廃棄物の情報および排出予定情報に基づき回収予定情報を作成する作成段階と、
前記コンピュータが、廃棄物を排出場所から受入業者に運搬する１つ以上の回収業者に前記回収予定情報を提示し、前記１つ以上の回収業者による競りの結果に応じて回収業者を選択する選択段階と
を有するリサイクル促進方法。
【請求項２】
前記作成段階は、廃棄物を受け入れる受入業者の情報および受入計画情報を更に読み出し、前記廃棄物の情報，排出予定情報，受入業者の情報および受入計画情報に基づき回収予定情報を作成することを特徴とする請求項１記載のリサイクル促進方法。
【請求項３】
前記取得段階は、前記コンピュータが、排出業者から排出計画情報を取得する排出計画情報取得段階と、
前記コンピュータが、廃棄物の査定を行う１つ以上の査定業者に前記排出計画情報を提示し、前記査定業者による競りの結果に応じて１つの査定業者を選択する査定業者選択段階と、
前記コンピュータが、排出場所から排出される１つ以上の廃棄物の情報および排出予定情報を前記選択された査定業者から取得する排出予定情報取得段階と
を有する請求項１又は２記載のリサイクル促進方法。
【請求項４】
前記作成段階は、前記コンピュータが、予め登録されている受入業者の情報および受入計画情報を読み出す受入計画情報読出段階と、
前記コンピュータが、廃棄物の情報，排出予定情報，受入業者の情報および受入計画情報に基づき前記１つ以上の廃棄物を前記１つ以上の受入業者に配分する廃棄物配分段階と、
前記コンピュータが、前記配分した結果に基づき廃棄物の排出場所，排出予定日時，受入場所，受入予定日時および１つ以上の廃棄物の量を表した回収予定情報を作成する回収予定情報作成段階と
を有する請求項１乃至３何れか一項記載のリサイクル促進方法。
【請求項５】
前記廃棄物配分段階は、前記コンピュータが、１つ以上の受入業者のうち所定条件に合致する受入業者を選択し、廃棄物の情報，排出予定情報，選択した受入業者の情報および受入計画情報に基づき、前記１つ以上の廃棄物を前記選択した受入業者のうちの１つ以上の受入業者に配分することを特徴とする請求項４記載のリサイクル促進方法。
【請求項６】
前記選択段階は、１つ以上の回収業者のうち所定条件に合致する回収業者に前記回収予定情報を提示する回収予定情報提示段階と、
前記回収予定情報を提示した回収業者による競りの結果に応じて１つの回収業者を選択する回収業者選択段階と
を有する請求項１乃至５何れか一項記載のリサイクル促進方法。
【請求項７】
前記コンピュータが、前記回収業者から取得した処理結果情報，排出業者から取得した査定業者および回収業者の評価情報，受入業者から取得した査定業者および回収業者の評価情報に基づき環境影響評価結果情報を作成して前記回収業者，排出業者および受入業者に提示する提示段階を更に有する請求項１乃至６何れか一項記載のリサイクル促進方法。
【請求項８】
前記排出計画情報は、排出場所情報，査定可能日情報，廃棄計画物品情報を少なくとも有する請求項３乃至７何れか一項記載のリサイクル促進方法。
【請求項９】
廃棄物のリサイクルを促進するリサイクル促進サーバであって、
排出場所から排出される１つ以上の廃棄物の情報および排出予定情報を取得する取得手段と、
前記廃棄物の情報および排出予定情報に基づき回収予定情報を作成する作成手段と、
廃棄物を排出場所から受入業者に運搬する１つ以上の回収業者に前記回収予定情報を提示し、前記１つ以上の回収業者による競りの結果に応じて回収業者を選択する選択手段と
を有するリサイクル促進サーバ。
【請求項１０】
廃棄物のリサイクルを促進するためのコンピュータに、
排出場所から排出される１つ以上の廃棄物の情報および排出予定情報を取得する取得段階と、
前記廃棄物の情報および排出予定情報に基づき回収予定情報を作成する作成段階と、
廃棄物を排出場所から受入業者に運搬する１つ以上の回収業者に前記回収予定情報を提示し、前記１つ以上の回収業者による競りの結果に応じて回収業者を選択する選択段階と
を実行させるためのリサイクル促進プログラム。
【発明の詳細な説明】
【０００１】
【発明の属する技術分野】
本発明は、リサイクル促進方法，リサイクル促進サーバおよびリサイクル促進プログラムに係り、特にコンピュータを用いて廃棄物のリサイクルを促進するリサイクル促進方法，リサイクル促進サーバおよびリサイクル促進プログラムに関する。
【０００２】
【従来の技術】
例えば建築物などの解体を行う建築メーカ等は、建築物などの解体に伴い様々な産業廃棄物を排出する。したがって、建築物などの解体を行う建築メーカ等は産業廃棄物を排出する排出業者でもある。排出業者は、産業廃棄物を回収する回収業者と予め契約しておくことで、排出した産業廃棄物を契約条件（例えば、産業廃棄物の量，価格など）に基づき回収業者に回収させていた。
【０００３】
一方、回収業者は産業廃棄物を受け入れてリサイクルを行う受入業者と予め契約しておくことで、回収した産業廃棄物のうちリサイクルが可能な産業廃棄物を受入業者にリサイクルさせていた。また、回収業者は回収した産業廃棄物のうちリサイクルが不可能な産業廃棄物を廃棄していた。
【０００４】
しかしながら、産業廃棄物のリサイクルが可能であるか不可能であるかの判断は受入業者の規模，設備などの要因で異なっており、他の受入業者でリサイクルが可能な産業廃棄物であっても廃棄されてしまうこともあった。このような産業廃棄物のリサイクル方法では、リサイクル促進を阻害する要因となっていた。
【０００５】
そこで、従来のリサイクル促進方法は、インターネット等のネットワーク上の仲介サイトを利用して廃材供給者と廃材需要者との仲介を行い、広く廃材需要者を求めることで、リサイクルを促進している（例えば、特許文献１参照）。
【０００６】
【特許文献１】
特開２００２−１３３０４１号公報
【０００７】
【発明が解決しようとする課題】
ところで、建築物の解体に伴い排出される産業廃棄物は、解体作業に応じて段階的に排出される。排出業者は、以前に排出された産業廃棄物が回収業者により回収されるまで解体作業を実施できないことがあり、産業廃棄物の回収が遅れると作業効率が低下するという問題があった。
【０００８】
一方、受入業者は所定期間（例えば、１０日など）にリサイクル可能な産業廃棄物の種類および量、倉庫などの格納場所に格納しておける産業廃棄物の量が決まっており、排出された産業廃棄物を直ぐに受け入れることができない場合があるという問題があった。
【０００９】
したがって、特許文献１のリサイクル促進方法のように排出業者と受入業者との仲介を行うだけでは、必ずしもリサイクルを促進できない場合があるという問題があった。
【００１０】
また、建築物などの解体に伴い排出される産業廃棄物は様々な素材から構成されている。このような産業廃棄物を素材別に査定し、素材別の排出量を予想することは、専門の査定業者でなければ難しかった。
【００１１】
したがって、特許文献１のリサイクル促進方法のように産業廃棄物の量をそのまま仲介サイトに掲示しただけでは、受入業者が素材別の排出予定量を容易に知り得ないという問題があった。
【００１２】
本発明は、上記の点に鑑みなされたもので、排出業者および受入業者の業務効率の向上を図ることができ、廃棄物のリサイクルを促進することが可能なリサイクル促進方法，リサイクル促進サーバおよびリサイクル促進プログラムを提供することを目的とする。
【００１３】
【課題を解決するための手段】
そこで、上記課題を解決するため、本発明は、コンピュータを用いて、廃棄物のリサイクルを促進するリサイクル促進方法であって、前記コンピュータが、排出場所から排出される１つ以上の廃棄物の情報および排出予定情報を取得する取得段階と、前記コンピュータが、前記廃棄物の情報および排出予定情報に基づき回収予定情報を作成する作成段階と、前記コンピュータが、廃棄物を排出場所から受入業者に運搬する１つ以上の回収業者に前記回収予定情報を提示し、前記１つ以上の回収業者による競りの結果に応じて回収業者を選択する選択段階とを有することを特徴とする。
【００１４】
このようなリサイクル促進方法では、作成した回収予定情報を１つ以上の回収業者に提示して競りを行わせ、競りの結果に応じて回収業者を選択する。したがって、排出予定情報に従って廃棄物を運搬できる回収業者を容易に選択できるので、排出業者の業務効率の向上を図ることができる。
【００１５】
また、前記作成段階は、廃棄物を受け入れる受入業者の情報および受入計画情報を更に読み出し、前記廃棄物の情報，排出予定情報，受入業者の情報および受入計画情報に基づき回収予定情報を作成するようにしてもよい。
【００１６】
このようなリサイクル促進方法では、排出予定情報および受入計画情報に従って廃棄物を運搬できる回収業者を容易に選択できるので、排出業者および受入業者の業務効率の向上を図ることができる。
【００１７】
また、前記取得段階は、前記コンピュータが、排出業者から排出計画情報を取得する排出計画情報取得段階と、前記コンピュータが、廃棄物の査定を行う１つ以上の査定業者に前記排出計画情報を提示し、前記査定業者による競りの結果に応じて１つの査定業者を選択する査定業者選択段階と、前記コンピュータが、排出場所から排出される１つ以上の廃棄物の情報および排出予定情報を前記選択された査定業者から取得する排出予定情報取得段階とを有するようにしてもよい。
【００１８】
このようなリサイクル促進方法では、取得した排出計画情報を１つ以上の査定業者に提示して競りを行わせ、競りの結果に応じて査定業者を選択する。したがって、選択した査定業者に排出場所から排出される１つ以上の廃棄物を査定させることができるので、素材別の排出量を容易に取得することができる。
【００１９】
また、前記作成段階は、前記コンピュータが、予め登録されている受入業者の情報および受入計画情報を読み出す受入計画情報読出段階と、前記コンピュータが、廃棄物の情報，排出予定情報，受入業者の情報および受入計画情報に基づき前記１つ以上の廃棄物を前記１つ以上の受入業者に配分する廃棄物配分段階と、前記コンピュータが、前記配分した結果に基づき廃棄物の排出場所，排出予定日時，受入場所，受入予定日時および１つ以上の廃棄物の量を表した回収予定情報を作成する回収予定情報作成段階とを有するようにしてもよい。
【００２０】
このようなリサイクル促進方法では、排出場所から排出される１つ以上の廃棄物を受入計画情報に基づき１つ以上の受入業者に配分し、配分した結果に基づき回収予定情報を作成する。したがって、排出予定日時および受入予定日時を含む回収予定情報を自動的に作成することができる。
【００２１】
また、前記廃棄物配分段階は、前記コンピュータが、１つ以上の受入業者のうち所定条件に合致する受入業者を選択し、廃棄物の情報，排出予定情報，選択した受入業者の情報および受入計画情報に基づき、前記１つ以上の廃棄物を前記選択した受入業者のうちの１つ以上の受入業者に配分するようにしてもよい。
【００２２】
このようなリサイクル促進方法では、所定条件（例えば、価格や信頼性など）に合致する受入業者を選択し、選択した受入業者のうちの１つ以上の受入業者に廃棄物を配分することができる。
【００２３】
また、前記選択段階は、１つ以上の回収業者のうち所定条件に合致する回収業者に前記回収予定情報を提示する回収予定情報提示段階と、前記回収予定情報を提示した回収業者による競りの結果に応じて１つの回収業者を選択する回収業者選択段階とを有するようにしてもよい。
【００２４】
このようなリサイクル促進方法では、所定条件（例えば、地域や廃棄物の種類など）に合致する回収業者に回収予定情報を提示し、回収予定情報を提示した回収業者による競りの結果に応じて１つの回収業者を選択することができる。
【００２５】
また、前記コンピュータが、前記回収業者から取得した処理結果情報，排出業者から取得した査定業者および回収業者の評価情報，受入業者から取得した査定業者および回収業者の評価情報に基づき環境影響評価結果情報を作成して前記回収業者，排出業者および受入業者に提示する提示段階を更に有するようにしてもよい。
【００２６】
このようなリサイクル促進方法では、排出場所から排出された廃棄物に関する環境影響評価結果情報を作成することができるので、積極的に環境への取り組みをアピールすることが可能である。
【００２７】
また、前記排出計画情報は、排出場所情報，査定可能日情報，廃棄計画物品情報を少なくとも有するようにしてもよい。
【００２８】
また、本発明は、廃棄物のリサイクルを促進するリサイクル促進サーバであって、排出場所から排出される１つ以上の廃棄物の情報および排出予定情報を取得する取得手段と、前記廃棄物の情報および排出予定情報に基づき回収予定情報を作成する作成手段と、廃棄物を排出場所から受入業者に運搬する１つ以上の回収業者に前記回収予定情報を提示し、前記１つ以上の回収業者による競りの結果に応じて回収業者を選択する選択手段とを有することを特徴とする。
【００２９】
このようなリサイクル促進サーバでは、作成した回収予定情報を１つ以上の回収業者に提示して競りを行わせ、競りの結果に応じて回収業者を選択する。したがって、排出予定情報に従って廃棄物を運搬できる回収業者を容易に選択できるので、排出業者の業務効率の向上を図ることができる。
【００３０】
また、本発明は、廃棄物のリサイクルを促進するためのコンピュータに、排出場所から排出される１つ以上の廃棄物の情報および排出予定情報を取得する取得段階と、前記廃棄物の情報および排出予定情報に基づき回収予定情報を作成する作成段階と、廃棄物を排出場所から受入業者に運搬する１つ以上の回収業者に前記回収予定情報を提示し、前記１つ以上の回収業者による競りの結果に応じて回収業者を選択する選択段階とを実行させることを特徴とする。
【００３１】
このようなリサイクル促進プログラムでは、作成した回収予定情報を１つ以上の回収業者に提示して競りを行わせ、競りの結果に応じて回収業者を選択する。したがって、排出予定情報に従って廃棄物を運搬できる回収業者を容易に選択できるので、排出業者の業務効率の向上を図ることができる。
【００３２】
なお、リサイクル促進プログラムを記録する記録媒体は、ＣＤ−ＲＯＭ、フレキシブルディスク、光磁気ディスク（ＭＯ）等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３３】
【発明の実施の形態】
次に、本発明の実施の形態について図面に基づいて説明する。なお、本実施例では廃棄物の一例として建物の解体に伴い排出された産業廃棄物を例に説明するが、如何なる廃棄物であってもよい。
【００３４】
図１は、本発明によるリサイクル促進システムの一実施例の構成図である。図１のリサイクル促進システム１は、リサイクル促進サーバ１０と，排出業者用端末１１と，査定業者用端末１２と，回収業者用端末１３と，受入業者用端末１４とが，インターネットなどのネットワーク１５を介して接続されている。
【００３５】
なお、図１のリサイクル促進システム１は、排出業者用端末１１と，査定業者用端末１２と，回収業者用端末１３と，受入業者用端末１４とを、ぞれぞれ１つずつ含む構成となっているが、１つ以上であってもよい。
【００３６】
排出業者用端末１１は、排出業者が操作するものである。排出業者とは、建物の解体に伴い産業廃棄物を排出する建築メーカなどをいう。査定業者用端末１２は、査定業者が操作するものである。査定業者とは、解体される建物を調査し、建物の解体に伴い排出される産業廃棄物，その産業廃棄物を構成する要素（例えば、素材など），排出予定量，排出予定日時などを査定する者をいう。
【００３７】
回収業者用端末１３は、回収業者が操作するものである。回収業者とは、産業廃棄物が排出される排出場所から産業廃棄物を回収し、回収した産業廃棄物を後述する受入業者に運搬する者である。受入業者用端末１４は、受入業者が操作するものである。受入業者とは、産業廃棄物を受け入れてリサイクルを行う者である。
【００３８】
排出業者用端末１１，査定業者用端末１２，回収業者用端末１３および受入業者用端末１４は、それぞれネットワーク１５を介してリサイクル促進サーバ１０に接続される。
【００３９】
リサイクル促進サーバ１０は、産業廃棄物のリサイクルを促進するための処理を後述するように実行する。リサイクル促進サーバ１０は、例えば図２のように構成される。
【００４０】
図２は、リサイクル促進サーバを実現するコンピュータの一実施例の構成図である。リサイクル促進サーバ１０は、それぞれバス２０で相互に接続されている入力装置２１と，表示装置２２と，ドライブ装置２３と，記録媒体２４と，補助記憶装置２５と，メモリ装置２６と，演算処理装置２７と，インターフェース装置２８と，データベース（以下、ＤＢという）２９とで構成される。
【００４１】
入力装置２１はキーボードやマウスなどで構成され、各種操作信号を入力するために用いられる。表示装置２２はディスプレイ装置などで構成され、各種ウインドウやデータ等を表示するために用いられる。インターフェース装置２８はモデムなどで構成され、ネットワーク１５に接続する為に用いられる。また、ＤＢ２９はリサイクル促進サーバ１０の処理に必要な各種情報を格納している。
【００４２】
例えばＤＢ２９は、査定業者ファイル，回収業者ファイル，受入業者ファイル，査定業者評価ファイル，回収業者評価ファイル，受入業者評価ファイル，排出計画ファイル，受入計画ファイル，地域別査定結果ファイル，回収処理結果ファイル，環境負荷原単位ファイルなどを格納している。
【００４３】
リサイクル促進サーバ１０の処理に係るリサイクル促進プログラムは、例えば記録媒体２４の配布やネットワーク１５からのダウンロードなどによって提供される。なお、リサイクル促進プログラムを記録した記録媒体２４は、ＣＤ−ＲＯＭ、フレキシブルディスク、光磁気ディスク（ＭＯ）等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００４４】
リサイクル促進プログラムを記録した記録媒体２４がドライブ装置２３にセットされると、リサイクル促進プログラムは記録媒体２４からドライブ装置２３を介して補助記憶装置２５にインストールされる。また、ネットワーク１５からダウンロードされたリサイクル促進プログラムはインターフェース装置２８を介して補助記憶装置２５にインストールされる。
【００４５】
補助記憶装置２５は、インストールされたリサイクル促進プログラムを格納すると共に、必要なファイル，データ等を格納する。メモリ装置２６は、コンピュータの起動時に補助記憶装置２５からリサイクル促進プログラムを読み出して格納する。演算処理装置２７は、メモリ装置２６に格納されたリサイクル促進プログラムに従って、リサイクル促進サーバ１０に係る処理を実行する。
【００４６】
以下、リサイクル促進システム１の処理について説明していく。まず、リサイクル促進システム１の処理概要を説明する。図３は、リサイクル促進システムの処理概要を説明するための図（１／５）である。
【００４７】
ステップＳ１では、排出業者が排出業者用端末１１を操作して、リサイクル促進サーバ１０に建物の解体計画を登録する。解体計画の登録は、例えば図８のような解体計画入力シートを用いて行われる。
【００４８】
図８は、解体計画入力シートの一例のイメージ図である。図８の解体計画入力シートは、排出場所，査定可能日，査定対象建物，廃棄計画物品などを入力する入力欄を含んでいる。例えば排出業者は、排出業者用端末１１の画面上に表示された解体計画入力シートの入力欄に排出場所，査定可能日，査定対象建物，廃棄計画物品などを入力することで、リサイクル促進サーバ１０に解体計画を登録する。
【００４９】
ステップＳ２では、受入業者が受入業者用端末１４を操作して、リサイクル促進サーバ１０に産業廃棄物の受入計画を登録する。受入計画の登録は、例えば図９のような受入計画入力シートを用いて行われる。
【００５０】
図９は、受入計画入力シートの一例のイメージ図である。図９の受入計画入力シートは、受け入れる素材の種類，量，時期，単価などを入力する入力欄を含んでいる。例えば受入業者は、受入業者用端末１４の画面上に表示された受入計画入力シートの入力欄に受け入れる素材の種類，量，時期，単価などを入力することで、リサイクル促進サーバ１０に受入計画を登録する。
【００５１】
なお、リサイクル促進サーバ１０は受入計画入力シートに、素材の最低単価を提示し、受入業者がその最低単価より低い単価を単価入力欄に入力できない仕様としてもよい。このような仕様では、受入業者が受け入れる素材の単価を最低価格より高く設定させることができる。
【００５２】
図４は、リサイクル促進システムの処理概要を説明するための図（２／５）である。ステップＳ１１では、リサイクル促進サーバ１０が、ステップＳ１で登録された解体計画を査定業者に公開し、公開した解体計画に係る建物を査定させる査定業者の公募を行う。査定業者への解体計画の公開は、例えば査定業者用端末１２の画面上に解体計画を表示することで行われる。
【００５３】
ステップＳ１２では、リサイクル促進サーバ１０が、査定業者に対してオークションを開催する。解体計画に係る建物の査定を受注したい査定業者は、査定業者用端末１２を操作してリサイクル促進サーバ１０が開催したオークションに参加する。リサイクル促進サーバ１０は、オークションに参加した査定業者のリストを作成し、そのリストを排出業者用端末１１の画面上に表示する。
【００５４】
排出業者は、排出業者用端末１１の画面上に表示されたリストから１つ以上の査定業者を選定することで、査定を依頼する査定業者をリサイクル促進サーバ１０に通知する。
【００５５】
リサイクル促進サーバ１０は、排出業者により選定された査定業者の査定業者用端末１１に、解体計画に係る建物の査定を発注する旨が通知される。例えば査定業者は、査定業者用端末１２の画面上で、解体計画に係る建物の査定を受注したことを認識する。
【００５６】
解体計画に係る建物の査定を受注した査定業者は、解体計画に係る建物の調査を行い、建物の解体に伴い排出される産業廃棄物，その産業廃棄物を構成する素材，排出予定量，排出予定日時などを査定する。
【００５７】
図５は、リサイクル促進システムの処理概要を説明するための図（３／５）である。ステップＳ２１では、査定業者が査定業者用端末１２を操作して、リサイクル促進サーバ１０に解体査定結果を登録する。解体査定結果の登録は、例えば図１０のような解体査定結果入力シートを用いて行われる。
【００５８】
図１０は、解体査定結果入力シートの一例のイメージ図である。図１０の解体査定結果入力シートは、産業廃棄物，産業廃棄物を構成する素材，総排出予定量，排出スケジュールなどを入力する入力欄を含んでいる。例えば査定業者は、査定業者用端末１２の画面上に表示された解体査定結果入力シートの入力欄に産業廃棄物，産業廃棄物を構成する素材，総排出予定量，排出スケジュールなどを入力することで、リサイクル促進サーバ１０に解体査定結果を登録する。
【００５９】
解体査定結果が登録されると、リサイクル促進サーバ１０はステップＳ２で登録された受入計画とステップＳ２１で登録された解体査定結果とに基づき、図１１のような回収スケジュールを作成する。
【００６０】
図１１は、回収スケジュールの一例のイメージ図である。図１１の回収スケジュールは、ステップＳ１で登録された解体計画に基づく情報欄３１，ステップＳ２１で登録された解体査定結果に基づく情報欄３２，回収業者に参照させるための情報欄３３，ステップＳ２で登録された受入計画に基づく情報欄３４を含んでいる。
【００６１】
リサイクル促進サーバ１０は、ステップＳ２１で登録された解体査定結果およびステップＳ２で登録された受入計画に基づき、排出される素材を受入業者に配分する。この配分処理により、排出場所から産業廃棄物を回収し、回収した産業廃棄物を受入業者に運搬する回収予定（回収スケジュール）が決定する。
【００６２】
例えば回収業者に参照させるための情報欄３３には、回収業者に参照させるための回収予定が含まれる。矢印３５は、８月上旬に排出場所から排出される廃材Ａ（プラスチック）のうちの１５０ｋｇを、受入業者Ａに運搬することを表している。また、矢印３６は、９月下旬に排出場所から排出される廃材Ｃ（鉄骨）のうち２００ｋｇを受入業者Ｂに運搬し、９月下旬に排出場所から排出される廃材Ｃ（鉄骨）のうち４００ｋｇをストックして１０月上旬および１０月中旬にそれぞれ２００ｋｇずつ受入業者Ｂに運搬することを表している。
【００６３】
なお、リサイクル促進サーバ１０は受入計画を考慮せずに、解体査定結果に基づいて回収スケジュールを作成してもよい。この場合、排出場所から産業廃棄物を回収する回収予定（回収スケジュール）が決定する。回収業者は受入業者を自由に選択し、回収した産業廃棄物を運搬できる。また、回収業者と受入業者とが同じ場合もある。
【００６４】
ステップＳ２２では、リサイクル促進サーバ１０が、回収スケジュールを回収業者に公開し、公開した回収スケジュールに係る回収を実施させる回収業者の公募を行う。回収業者への回収スケジュールの公開は、例えば回収業者用端末１３の画面上に回収スケジュールを表示することで行われる。
【００６５】
ステップＳ２３では、リサイクル促進サーバ１１が、回収業者に対してオークションを開催する。回収スケジュールに係る回収を受注したい回収業者は、回収業者用端末１３を操作してリサイクル促進サーバ１０が開催したオークションに参加する。リサイクル促進サーバ１０は、オークションに参加した回収業者のリストを作成し、そのリストを排出業者用端末１１の画面上に表示する。
【００６６】
排出業者は、排出業者用端末１１の画面上に表示されたリストから１つ以上の回収業者を選定することで、回収を依頼する回収業者をリサイクル促進サーバ１０に通知する。
【００６７】
リサイクル促進サーバ１０は、排出業者により選定された回収業者の回収業者用端末１３に、回収スケジュールに係る回収を発注する旨が通知される。例えば回収業者は、回収業者用端末１３の画面上で、回収スケジュールに係る回収を受注したことを認識する。
【００６８】
回収スケジュールに係る回収を受注した回収業者は、回収予定に従って排出場所から産業廃棄物を回収し、回収した産業廃棄物を受入業者に運搬する。例えば図１１の回収スケジュールのうち矢印３５が表す回収を受注した回収業者は、８月上旬に排出場所から排出される廃材Ａ（プラスチック）のうちの１５０ｋｇを回収し、回収した廃材Ａ（プラスチック）を受入業者Ａに運搬する。
【００６９】
図６は、リサイクル促進システムの処理概要を説明するための図（４／５）である。ステップＳ３１では、回収スケジュールに係る回収を受注した回収業者が回収業者用端末１３を操作して、リサイクル促進サーバ１０に回収処理結果を登録する。ステップＳ３２では、排出業者が排出業者用端末１１を操作して、リサイクル促進サーバ１０に査定業者および回収業者の評価を登録する。なお、ステップＳ３２で登録される査定業者および回収業者の評価は、後日の査定業者および回収業者の選定に利用される。
【００７０】
また、ステップＳ３３では受入業者が受入業者用端末１４を操作して、リサイクル促進サーバ１０にリサイクル処理結果を登録すると共に、査定業者および回収業者の評価を登録する。なお、ステップＳ３３で登録される査定業者および回収業者の評価は、後日の査定業者および回収業者の選定に利用される。
【００７１】
図７は、リサイクル促進システムの処理概要を説明するための図（５／５）である。ステップＳ４１では、リサイクル促進サーバ１０が、ステップＳ３１で登録された回収処理結果とステップＳ３３で登録されたリサイクル処理結果とに基づき、図１２のような回収業者への環境影響評価結果シートを作成して回収業者用端末１３の画面上に表示する。図１２は、環境影響評価結果シートの一例のイメージ図である。
【００７２】
ステップＳ４２では、リサイクル促進サーバ１０が、ステップＳ４１と同様な処理により、排出業者への環境影響評価結果シートを作成して排出業者用端末１１の画面上に表示する。また、ステップＳ４３では、リサイクル促進サーバ１０が、ステップＳ４１と同様な処理により、受入業者への環境影響評価結果シートを作成して受入業者用端末１４の画面上に表示する。
【００７３】
このように、本発明によるリサイクル促進システム１では、査定業者および回収業者の選定を公募により行うこと、回収スケジュールを受入計画と解体査定結果とに基づき作成すること、環境影響評価結果シートを作成して環境改善への貢献度を指標化することを特徴としている。
【００７４】
次に、リサイクル促進システム１の処理を詳細に説明していく。図１３は、ステップＳ１１でリサイクル促進サーバ１０が行う処理の一例のフローチャートである。ステップＳ１１の処理は、例えばリサイクル促進サーバ１０に解体計画が登録されたあとに実行される。
【００７５】
ステップＳ５１では、リサイクル促進サーバ１０が、査定業者ファイル４１から査定業者の情報を読み出す。リサイクル促進サーバ１０は、登録された解体計画に含まれている地域（排出場所など）と査定業者の地域とに応じて査定業者のフィルタリングを行う。例えばステップＳ５１の処理では、産業廃棄物の排出場所と同一地域（都道府県，市町村，自治体など）の査定業者が選択される。
【００７６】
ステップＳ５１に続いてステップＳ５２に進み、リサイクル促進サーバ１０は登録された解体計画に含まれている査定対象建物や廃棄計画物品と査定業者の業種とに応じて査定業者のフィルタリングを行う。例えばステップＳ５２の処理では、解体計画に係る建物に応じた査定業者が選択される。
【００７７】
ステップＳ５２に続いてステップＳ５３に進み、リサイクル促進サーバ１０はステップＳ５１及びＳ５２のフィルタリングで選択された査定業者にステップＳ１で登録された解体計画を公開するための処理を行う。図１３の処理により、リサイクル促進サーバ１０は所定条件（例えば地域，業種など）に合致する査定業者に解体計画を公開できる。
【００７８】
図１４は、ステップＳ１２でリサイクル促進サーバ１０が行う処理の一例のフローチャートである。ステップＳ１２の処理は、例えばリサイクル促進サーバ１０が査定業者に解体計画を公開したあとに実行される。
【００７９】
ステップＳ６１では、リサイクル促進サーバ１０が、査定業者に対してオークションを開催するためのオークション実行処理を行う。リサイクル促進サーバ１０は、査定業者用端末１２から査定業者の入札を受け付ける。
【００８０】
オークションの開催期間が終了すると、リサイクル促進サーバ１０はステップＳ６１に続いてステップＳ６２に進み、ステップＳ６１で入札を受け付けた査定業者を入札の価格に応じて評価する。また、ステップＳ６２に続いてステップＳ６３に進み、リサイクル促進サーバ１０は査定業者の信頼性を査定業者評価ファイル４２から読み出し、ステップＳ６１で入札を受け付けた査定業者を信頼性に応じて評価する。
【００８１】
ステップＳ６３に続いてステップＳ６４に進み、リサイクル促進サーバ１０はオークションに参加した査定業者のリストを、入札の価格に応じた評価および査定業者の信頼性に応じた評価を含むように作成する。
【００８２】
ステップＳ６４に続いてステップＳ６５に進み、リサイクル促進サーバ１０はステップＳ６４で作成した査定業者のリストを排出業者用端末１１の画面上に表示する。排出業者により選定された査定業者が排出業者用端末１１から通知されると、リサイクル促進サーバ１０は排出業者により選定された査定業者の査定業者用端末１１に、解体計画に係る建物の査定を発注する旨が通知される。
【００８３】
図１４の処理により、リサイクル促進サーバ１０はオークションに参加した査定業者を選定するときに、入札の価格に応じた評価および査定業者の信頼性に応じた評価を参考にできる。
【００８４】
図１５は、ステップＳ２１，Ｓ２２でリサイクル促進サーバ１０が行う処理の一例のフローチャートである。ステップＳ７１では、リサイクル促進サーバ１０が、ステップＳ２１で登録された解体査定結果を解体査定結果ファイル４３から読み出すと共に、ステップＳ２で登録された受入計画を受入計画ファイル４４から読み出す。
【００８５】
解体査定結果ファイル４３には、排出場所から排出される素材ごとに総排出予定量，排出スケジュール（例えば、旬単位）などが格納されている。また、受入計画ファイル４４には受入業者が受け入れる素材ごとに総排出予定量，排出スケジュールなどが格納されている。
【００８６】
リサイクル促進サーバ１０は、解体査定結果ファイル４３から読み出した解体査定結果および受入計画ファイル４４から読み出した受入計画に基づき、排出場所から排出される素材を受入業者に配分することで、図１１のような回収スケジュールを作成する。
【００８７】
ステップＳ７１に続いてステップＳ７２に進み、リサイクル促進サーバ１０はステップＳ７１で作成した回収スケジュールを回収業者に公開するための処理を行う。
【００８８】
図１５の処理により、リサイクル促進サーバ１０は作成した回収スケジュールを回収業者に公開し、公開した回収スケジュールに係る回収を実施させる回収業者の公募を行うことができる。
【００８９】
図１６は、ステップＳ７２でリサイクル促進サーバ１０が行う処理の一例のフローチャートである。ステップＳ８１の処理は、例えばリサイクル促進サーバ１０が回収スケジュールを作成したあとに実行される。
【００９０】
ステップＳ８１では、リサイクル促進サーバ１０が、例えば回収業者ファイル４５から回収業者の情報を読み出す。リサイクル促進サーバ１０は、読み出された回収スケジュールに係る地域（排出場所など）と回収業者の地域とに応じて回収業者のフィルタリングを行う。例えばステップＳ８１の処理では、産業廃棄物の排出場所と同一地域（都道府県，市町村，自治体など）の回収業者が選択される。
【００９１】
ステップＳ８１に続いてステップＳ８２に進み、リサイクル促進サーバ１０は登録された解体計画に含まれている査定対象建物や廃棄計画物品と回収業者の業種とに応じて回収業者のフィルタリングを行う。例えばステップＳ８２の処理では、解体計画に係る建物に応じた回収業者が選択される。
【００９２】
ステップＳ８２に続いてステップＳ８３に進み、リサイクル促進サーバ１０はステップＳ８１及びＳ８２のフィルタリングで選択された回収業者にステップＳ７１で作成された回収スケジュールを公開するための処理を行う。図１６の処理により、リサイクル促進サーバ１０は所定条件（例えば地域，業種など）に合致する回収業者に回収スケジュールを公開できる。
【００９３】
図１７は、ステップＳ４１〜Ｓ４３でリサイクル促進サーバ１０が行う処理の一例のフローチャートである。ステップＳ９１では、リサイクル促進サーバ１０が、回収処理結果を回収処理結果ファイル４６から読み出し、回収業者の情報を回収業者ファイル４５から読み出し、環境負荷原単位を環境負荷原単位ファイル４７から読み出す。
【００９４】
回収処理結果ファイル４６には、産業廃棄物のリサイクル処理に使用した燃料使用量（例えば、使用した電力，ガソリン，灯油など）が格納されている。環境負荷原単位ファイル４７には、所定単位の負荷を環境に与える燃料使用量が格納されている。
【００９５】
リサイクル促進サーバ１０は、回収処理結果ファイル４６から読み出した燃料使用量と環境負荷原単位ファイル４７から読み出した環境負荷原単位とを乗算すると共に、図１２の環境影響評価結果シートを作成するための処理を行う。環境影響評価結果に関する内容は、例えば本願出願人が出願済みの特願２００２−６６３２６「グリーン製品市場提供方法、グリーン製品提供方法、グリーン製品市場提供サーバ、グリーン製品市場提供プログラム」に記載されている。
【００９６】
ステップＳ９１に続いてステップＳ９２に進み、リサイクル促進サーバ１０はステップＳ９１で作成した環境影響評価結果シートを排出業者，回収業者および受入業者に公開するための処理を行う。図１７の処理により、リサイクル促進サーバ１０は作成した環境影響評価結果シートを排出業者，回収業者および受入業者に公開することができる。
【００９７】
なお、本発明は上記の実施例に限定されるものでなく、本発明の範囲内で種々の変更が可能である。例えば本実施例では、解体査定結果および受入計画に基づき、排出場所から排出される素材を受入業者に配分することで回収スケジュールを作成しているが、公募により受入業者を選定するようにしてもよい。
【００９８】
【発明の効果】
上述の如く、本発明によれば、排出業者および受入業者の業務効率の向上を図ることができ、廃棄物のリサイクルを促進することが可能なリサイクル促進方法，リサイクル促進サーバおよびリサイクル促進プログラムを提供できる。
【００９９】
【図面の簡単な説明】
【図１】本発明によるリサイクル促進システムの一実施例の構成図である。
【図２】リサイクル促進サーバを実現するコンピュータの一実施例の構成図である。
【図３】リサイクル促進システムの処理概要を説明するための図（１／５）である。
【図４】リサイクル促進システムの処理概要を説明するための図（２／５）である。
【図５】リサイクル促進システムの処理概要を説明するための図（３／５）である。
【図６】リサイクル促進システムの処理概要を説明するための図（４／５）である。
【図７】リサイクル促進システムの処理概要を説明するための図（５／５）である。
【図８】解体計画入力シートの一例のイメージ図である。
【図９】受入計画入力シートの一例のイメージ図である。
【図１０】解体査定結果入力シートの一例のイメージ図である。
【図１１】回収スケジュールの一例のイメージ図である。
【図１２】環境影響評価結果シートの一例のイメージ図である。
【図１３】ステップＳ１１でリサイクル促進サーバ１０が行う処理の一例のフローチャートである。
【図１４】ステップＳ１２でリサイクル促進サーバ１０が行う処理の一例のフローチャートである。
【図１５】ステップＳ２１，Ｓ２２でリサイクル促進サーバ１０が行う処理の一例のフローチャートである。
【図１６】ステップＳ７２でリサイクル促進サーバ１０が行う処理の一例のフローチャートである。
【図１７】ステップＳ４１〜Ｓ４３でリサイクル促進サーバ１０が行う処理の一例のフローチャートである。
【符号の説明】
１　　リサイクル促進システム
１０　　リサイクル促進サーバ
１１　　排出業者用端末
１２　　査定業者用端末
１３　　回収業者用端末
１４　　受入業者用端末
１５　　ネットワーク
２１　　入力装置
２２　　表示装置
２３　　ドライブ装置
２４　　記録媒体
２５　　補助記憶装置
２６　　メモリ装置
２７　　演算処理装置
２８　　インターフェース装置
２９　　データベース（ＤＢ）
４１　　査定業者ファイル
４２　　査定業者評価ファイル
４３　　解体査定結果ファイル
４４　　受入計画ファイル
４５　　回収業者ファイル
４６　　回収処理結果ファイル
４７　　環境負荷原単位ファイル
【図１】
2004145825.tif 000003
【図２】
2004145825.tif 000004
【図３】
2004145825.tif 000005
【図４】
2004145825.tif 000006
【図５】
2004145825.tif 000007
【図６】
2004145825.tif 000008
【図７】
2004145825.tif 000009
【図８】
2004145825.tif 000010
【図９】
2004145825.tif 000011
【図１０】
2004145825.tif 000012
【図１１】
2004145825.tif 000013
【図１２】
2004145825.tif 000014
【図１３】
2004145825.tif 000015
【図１４】
2004145825.tif 000016
【図１５】
2004145825.tif 000017
【図１６】
2004145825.tif 000018
【図１７】
2004145825.tif 000019